(57)【要約】【課題】利便性を向上させた収納部を有する建具を提供すること。【解決手段】建物の壁１００に形成された開口部１０１に設けられる建具１であって、開口部１０１に設けられる枠体２と、枠体２の左右方向における中間部に設けられ、上下方向に延びる方立２３と、方立２３の左右方向の一方側に開閉可能に設けられるドア本体３と、方立２３の左右方向の他方側に設けられ、室内側開口部４６及び室外側開口部４５を有する収納部４と、収納部４の室内側開口部４６に開閉可能に設けられる室内側収納扉５２と、収納部４の室外側開口部４５に開閉可能に設けられる室外側収納扉５１と、を備える建具１である。【選択図】図５
2018123489.tif 000002
【特許請求の範囲】
【請求項１】
建物の壁に形成された開口部に設けられる建具であって、
前記開口部に設けられる枠体と、
前記枠体の左右方向における中間部に設けられ、上下方向に延びる方立と、
前記方立の左右方向の一方側に開閉可能に設けられるドア本体と、
前記方立の左右方向の他方側に設けられ、室内側開口部及び室外側開口部を有する収納部と、
前記収納部の室内側開口部に開閉可能に設けられる室内側収納扉と、
前記収納部の室外側開口部に開閉可能に設けられる室外側収納扉と、を備える建具。
【請求項２】
前記ドア本体の室外側表面と、前記室外側収納扉の室外側表面とは略面一であり、
前記ドア本体及び／又は前記室外側収納扉は、前記室外側表面から室内側に凹む段差により形成される手掛け部を有する請求項１に記載の建具。
【請求項３】
前記手掛け部は、前記ドア本体における前記方立側の側縁及び／又は前記室外側収納扉における前記方立側の側縁の一部が切り欠かれて形成される請求項２に記載の建具。
【発明の詳細な説明】
【技術分野】
【０００１】
本発明は、建具に関する。
【背景技術】
【０００２】
従来、建具は、建物の壁に形成される開口部に枠体が設けられ、この枠体にドア本体が取り付けられることで建物の出入口を構成する。ドア本体を取り付ける開口部の壁には所定の厚みがあるため、ドア本体に隣接して収納部を配置することが知られている。例えば、収納部が、ドア本体の左右方向に隣接し、室内側から使用するとともに、室外側から見た場合には子扉のような形状をしている建具が提案されている（例えば、特許文献１参照）。
【先行技術文献】
【特許文献】
【０００３】
【特許文献１】特開昭５９−２４０８４号公報
【発明の概要】
【発明が解決しようとする課題】
【０００４】
ドア本体に隣接する収納部に室外側からアクセスできない場合、建物の外で利用した用具等を収納する際に、用具等を一度室内に持ち込まなければならなかった。また、宅配便で届けられた物品を留守中に収容することができない等、利便性が十分でなかった。
【０００５】
本発明は、利便性を向上させた収納部を有する建具を提供すること目的とする。
【課題を解決するための手段】
【０００６】
上記目的を達成するため本発明は、建物の壁（例えば、後述の壁１００）に形成された開口部（例えば、後述の開口部１０１）に設けられる建具（例えば、後述の建具１）であって、前記開口部に設けられる枠体（例えば、後述の枠体２）と、前記枠体の左右方向における中間部に設けられ、上下方向に延びる方立（例えば、後述の方立２３）と、前記方立の左右方向の一方側に開閉可能に設けられるドア本体（例えば、後述のドア本体３）と、前記方立の左右方向の他方側に設けられ、室内側開口部（例えば、後述の室内側開口部４６）及び室外側開口部（例えば、後述の室外側開口部４５）を有する収納部（例えば、後述の収納部４）と、前記収納部の室内側開口部に開閉可能に設けられる室内側収納扉（例えば、後述の室内側収納扉５２）と、前記収納部の室外側開口部に開閉可能に設けられる室外側収納扉（例えば、後述の室外側収納扉５１）と、を備える建具を提供する。
【０００７】
前記ドア本体の室外側表面と、前記室外側収納扉の室外側表面とは略面一であり、前記ドア本体及び／又は前記室外側収納扉は、前記室外側表面から室内側に凹む段差（例えば、後述の段差６１）により形成される手掛け部（例えば、後述の手掛け部６）を有することが好ましい。
【０００８】
前記手掛け部は、前記ドア本体における前記方立側の側縁及び／又は前記室外側収納扉における前記方立側の側縁の一部が切り欠かれて形成されることが好ましい。
【発明の効果】
【０００９】
本発明によれば、利便性を向上させた収納部を有する建具を提供することができる。
【図面の簡単な説明】
【００１０】
【図１】本発明の一実施形態に係る建具の正面図である。
【図２】図１のＡ−Ａ断面図である。
【図３】図１のＢ−Ｂ断面図である。
【図４】図１のＣ−Ｃ断面図である。
【図５】本実施形態に係る建具の室外側から見た斜視図である。
【図６】本実施形態に係る建具の室内側から見た斜視図である。
【図７】変形例に係る建具の斜視図である。
【図８】変形例に係る建具の斜視図である。
【図９】他の変形例に係る建具の斜視図である。
【図１０】他の変形例に係る建具の斜視図である。
【発明を実施するための形態】
【００１１】
以下、本発明の実施形態について、図面を参照しながら詳しく説明する。
図１は、本実施形態に係る建具１の正面図である。建具１は、建物の壁１００に形成された開口部１０１（図５、図６等参照）に設けられ、開口部１０１を開閉するものである。建具１は建物の玄関に配置される。建具１は、枠体２と、方立２３と、ドア本体３と、収納部４と、収納部扉５と、手掛け部６と、を有する。
【００１２】
枠体２は、開口部１０１の四周に沿って設けられ、縦枠２１及び横枠２２を有する。
縦枠２１は、枠体２の左右方向の一方及び他方において上下方向に延びる。
横枠２２は、互いに離間する縦枠２１の上端及び下端を結ぶように、枠体２の上方及び下方で左右方向に延びる。
【００１３】
方立２３は、枠体２の左右方向の中間部に設けられ、下側の横枠２２から上側の横枠２２まで上下方向に延びる。方立２３は、枠体２を左右に仕切る仕切りである。
方立２３には、後述するように、鍵、インターホン用のカメラやスピーカー、呼び鈴やポスト等の玄関の機能部が設けられてよい。
【００１４】
ドア本体３は、方立２３の左右方向の一方側（図１における右側）に開閉可能に設けられ、開口部１０１の一方側を開閉する。ドア本体３は、略長方形の板体であり、縦枠２１に開閉可能に取り付けられる。ドア本体３は、面材３１及び本体部３２を有する。
面材３１は、ドア本体３の室外側表面を構成し、後述する収納部４の室外側収納扉５１の室外側表面と略面一に配置される。面材３１は、方立２３側の長手方向の側縁の一部が切り欠かれている。
本体部３２は、縦枠２１、横枠２２、方立２３で構成される開口に嵌まるように、枠体２の厚さ方向に対応する厚さを有する。本体部３２は、面材３１の外寸よりも一回り小さい寸法を有し、面材３１の室内側に設けられている（図３参照）。
なお、図１に示すように、ドア本体３を枠体２に吊り込んでいる丁番は、カバー３ａにより隠蔽されている。
【００１５】
図２は、図１のＡ−Ａ断面図であり、図３は、図１のＢ−Ｂ断面図であり、図４は、図１のＣ−Ｃ断面図である。
収納部４は、方立２３の左右方向の他方（図１における左側）に設けられる。詳細には、収納部４は、方立２３で仕切られる枠体２内で、ドア本体３が配置されない側に形成される縦長の棚である。図２に示すように、収納部４は、底板４１と、天板４２と、棚板４３と、一対の側板４４と、により構成され、開口部１０１の見込方向に所定の厚みを有して延びる。
底板４１は、収納部４の底面に延びる略長方形の板であり、短手方向の側縁が見込方向、長手方向の側縁が見付方向に沿い、平面が建物の底面に略平行に配置される。
天板４２は、底板４１に対向して上方に配置される略長方形の板である。
棚板４３は、底板４１と天板４２の間で、底板４１及び天板４２に平行に延びる仕切り板である。棚板４３は複数あってもよく、配置する高さや間隔を調整可能としてもよい。
一対の側板４４は、底板４１、天板４２及び棚板４３の短手方向の側縁に当接するとともに上下方向に延びる長方形の板である。
【００１６】
また、収納部４は、室外側に向かって開口する室外側開口部４５と、室内側に向かって開口する室内側開口部４６と、を有する。すなわち、収納部４は、背板を有さずに、底板４１、天板４２及び一対の側板４４で形成される枠の内部を棚板４３で仕切ることで形成されている。図３のドア本体３側から見た断面図でわかるように、収納部４は、開口部１０１の室外側表面より室内側に延びており、ドア本体３とは室外側表面で連続するように配置されている。
【００１７】
収納部扉５は、室外側収納扉５１と、室内側収納扉５２と、を有する。
室外側収納扉５１は、収納部４の室外側開口部４５に開閉可能に設けられ、方立２３の他方側に配置される。室外側収納扉５１は、ドア本体３が吊り込まれる縦枠２１と反対側の縦枠２１に片開きに吊り込まれる。室外側収納扉５１は、ドア本体３の面材３１と略面一となるように取り付けられている。図１に示すように、室外側収納扉５１は、方立２３側の長手方向の側縁の一部が切り欠かれている。
室内側収納扉５２は、収納部４の室内側開口部４６に開閉可能に設けられ、室外側収納扉５１が吊り込まれる側と同じ側に位置する収納部４の側板４４に吊り込まれ、室内側開口部４６を開閉する。
【００１８】
手掛け部６は、ドア本体３及び室外側収納扉５１の側縁の切欠きにより構成される。上述の通り、ドア本体３及び室外側収納扉５１はいずれも枠体２に取り付けられるとともに、所定厚みを有する。このため、ドア本体３及び室外側収納扉５１の側縁が切り欠かれていると、図４に示すように、ドア本体３及び室外側収納扉５１の室外側表面から室内側に凹む段差６１が形成される。手掛け部６は、この段差６１により形成され、ドア本体３及び室外側収納扉５１の側縁の切欠きから方立２３側へ指を伸ばして、ドア本体３又は室外側収納扉５１の切り欠きに手を掛けることで、ドア本体３又は室外側収納扉５１が開くように構成されている。
【００１９】
なお、ドア本体３や室外側収納扉５１の鍵は、手掛け部６が形成されている位置のドア本体３及び室外側収納扉５１の見込方向の側縁に形成してよい。
【００２０】
図５は、室外から見た建具１の斜視図であり、図６は、室内から見た建具１の斜視図である。
図５に示すように、開口部１０１には、ドア本体３及び収納部４が配置されており、開口部１０１は、ドア本体３により室外側から開閉される。また、収納部４の室外側開口部４５は、室外側収納扉５１により開閉される。
また、図６に示すように、室内側では、収納部４の室内側開口部４６に室内側収納扉５２が設けられており、室内側収納扉５２により室内側開口部４６が開閉される。
このように、収納部４へは、室内側からも室外側からもアクセス可能に構成されている。収納部は、例えば、不在時に荷物を収容することができる所謂宅配ボックスとして使用される。この場合、物品を収容するまでは、室外側収納扉５１を施錠せず、室内側収納扉５２は施錠されている。そして、宅配業者が物品を収容すると、室外側収納扉５１が施錠され、室内側収納扉５２側から住人が物品を受け取ることができるように構成される。
【００２１】
図１に戻って、ドア本体３及び室外側収納扉５１を閉じた状態では、両者は面一で連続するように並んでいる。ドア本体３及び室外側収納扉５１を開くときは、手掛け部６に手をかけて手前に引けばよい。
【００２２】
本実施形態によれば、以下の効果が奏される。
本実施形態では、建物の壁１００に形成された開口部１０１に設けられる建具１を、開口部１０１に設けられる枠体２と、枠体２の左右方向における中間部に設けられ、上下方向に延びる方立２３と、方立２３の左右方向の一方側に開閉可能に設けられるドア本体３と、方立２３の左右方向の他方側に設けられ、室内側開口部４６及び室外側開口部４５を有する収納部４と、収納部４の室内側開口部４６に開閉可能に設けられる室内側収納扉５２と、収納部４の室外側開口部４５に開閉可能に設けられる室外側収納扉５１と、を含んで構成した。
収納部４が室内側開口部４６及び室外側開口部４５を有するとともに、これらを室内側収納扉５２及び室外側収納扉５１により開閉することができるので、室外側からも収納部４にアクセスすることができる。よって、宅配サービスにより届けられた物品を室内側から受け取ったり、収納部４を不在時に荷物を収容することができる所謂宅配ボックスとして使用することができるようになる。また、掃除用具やスポーツ用品等の各種用具類を、室内へ持ち込むことなく室外側から収納することができる。一方、室内側からも、用具類室外へ出ることなく収納部４に収納することができる。このように、建具１の利便性が向上する。
【００２３】
本実施形態では、ドア本体３の室外側表面と、室外側収納扉５１の室外側表面とは略面一とし、ドア本体３及び／又は室外側収納扉５１を、室外側表面から室内側に凹む段差６１により形成される手掛け部６を含んで構成した。これにより、ドア本体３や室外側収納扉５１に、外側へ突出する取っ手等を配置しなくてすむので、ドア本体及び室外側収納扉５１を平面上で連続するように収めることが可能となり、外壁となじんだ一体的な意匠を実現することができる。よって、ドア本体３や室外側収納扉５１のような開閉体が複数あっても、すっきりした外観を得ることができる。また、このため、収納部４の室外側収納扉５１の数や配置も自由に構成することができる。
【００２４】
本実施形態では、手掛け部６を、ドア本体３における方立２３側の側縁及び／又は室外側収納扉５１における方立２３側の側縁の一部を切り欠かいて形成した。これにより、手掛け部６を形成するために特別な部材を設ける必要がない。また、側縁の一部を切り欠くことで、その奥に位置する方立２３が視認されるため、方立２３の手掛け部６が形成された部分に鍵、インターホン用のカメラやスピーカー、呼び鈴やポスト等の各種機能部を設けることもできる。
【００２５】
図７は、変形例に係る建具１Ａのドア本体３及び室外側収納扉５１を閉じた状態を示し、図８は、ドア本体３及び室外側収納扉５１を開いた状態を示す。
変形例の説明において、上記実施形態と共通する構成については同様の符号を用いるとともに、その説明を簡略化又は省略する。
【００２６】
変形例に係る建具１Ａでは、ドア本体３の片側に、収納部４が２列配置されている点で、上記実施形態と異なる。変形例では、図８に示すように、収納部４は、第一収納部４０１と、第二収納部４０２と、を有する。
【００２７】
第一収納部４０１は、開口部１０１の見付方向の中央側に位置するとともに、ドア本体３に隣接する収納部である。例えば、第一収納部４０１を、所謂宅配ボックスとして使用し、第二収納部４０２を、靴箱や用具入れ等として使用することができる。
【００２８】
図９は、他の変形例に係る建具１Ｂのドア本体３及び室外側収納扉５１を閉じた状態を示し、図１０は、ドア本体３及び室外側収納扉５１を開いた状態を示す。
他の変形例では、ドア本体３を挟んで左右方向の両側に収納部４が配置されている点で、上述の実施形態及び変形例と異なる。また、図９に示すように、収納部４の室外側収納扉５１Ｂには、必ずしも手掛け部６を設けなくてもよく、扉の吊先側を押圧することで、室外側収納扉と方立側にある係合部との係合が解かれて扉が開閉するプッシュ式の扉にしてもよい。他の構成は、上記実施形態と同様である。
【００２９】
以上に示されるように、収納部４の数や配置等の構成は、使用者のニーズや仕様環境によって自由に選択及び変更できるように構成される。したがって、建具１を玄関に配置する場合、枠体２内で方立２３の一方にドア本体３を設け、他方に収納部４を設けることで、その機能を適宜変更可能な玄関ユニットが形成される。
【００３０】
なお、本発明は上記実施形態に限定されるものではなく、本発明の目的を達成できる範囲での変形、改良等は本発明に含まれる。
例えば、上記実施形態では、建具１は玄関に設けられることを例示しているが、これに限られない。大きな建物の内部の壁面に配置されていてもよい。また、収納部４はドア本体３が一か所に設けられているが、これに限られない。枠体２の大きさは設置する壁面に応じて自由に変更することができ、ドア本体が複数あってもよい。
【符号の説明】
【００３１】
１      建具
２      枠体
３      ドア本体
４      収納部
６      手掛け部
２３    方立
４５    室外側開口部
４６    室内側開口部
５１    室外側収納扉
５２    室内側収納扉
６１    段差
１００  壁
１０１  開口部
【図１】
2018123489.tif 000003
【図２】
2018123489.tif 000004
【図３】
2018123489.tif 000005
【図４】
2018123489.tif 000006
【図５】
2018123489.tif 000007
【図６】
2018123489.tif 000008
【図７】
2018123489.tif 000009
【図８】
2018123489.tif 000010
【図９】
2018123489.tif 000011
【図１０】
2018123489.tif 000012